(57)【要約】【課題】ルーペ本体をスタンドで常に安定した状態で支持し、長期使用時にもルーペ本体およびスタンドの姿勢を確実に保持して、常にハンドフリー状態で作業を行えるスタンド付きルーペを提供する。【解決手段】ルーペ本体１と、スタンド２を備えている。スタンド２は、スタンド台１０と、第１アーム１１と、第２アーム１２と、第１から第３の各関節構造Ｈ３などで構成する。各関節構造Ｈ１・Ｈ２・Ｈ３は、連結相手どうしを第１から第３の各連結軸４５・５８・７７を中心にして相対回転可能に構成する。スタンド台１０に、磁性金属材に吸着する磁石１３を固定する。第１から第３の各関節構造Ｈ１・Ｈ２・Ｈ３に、スタンド台１０、第１アーム１１、第２アーム１２、およびルーペ本体１を任意の変位位置において位置保持する位置保持体４７・６１・７９を設ける。【選択図】図１
2014066778.tif 000002
【特許請求の範囲】
【請求項１】
ルーペ本体（１）と、ルーペ本体（１）を支持するスタンド（２）を備えており、
スタンド（２）は、スタンド台（１０）と、第１アーム（１１）と、第２アーム（１２）と、スタンド台（１０）と第１アーム（１１）を連結する第１関節構造（Ｈ１）と、第１アーム（１１）と第２アーム（１２）を連結する第２関節構造（Ｈ２）と、第２アーム（１２）とルーペ本体（１）を連結する第３関節構造（Ｈ３）とを備えており、
第１から第３の各関節構造（Ｈ１・Ｈ２・Ｈ３）は、連結相手どうしが第１、第２、第３の各連結軸（４５・５８・７７）を中心にして相対回転できるように構成されており、
スタンド台（１０）に、磁性金属材に吸着してルーペ本体（１）およびスタンド（２）を支持する磁石（１３）が固定されており、
第１から第３の各関節構造（Ｈ１・Ｈ２・Ｈ３）に、スタンド台（１０）、第１アーム（１１）、第２アーム（１２）、およびルーペ本体（１）の各部材を任意の変位位置において位置保持する位置保持体（４７・６１・７９）が設けてあることを特徴とするスタンド付きルーペ。
【請求項２】
位置保持体が、第１、第２、第３の各連結軸（４５・５８・７７）の周囲に装着したＯリング（４７・６１・７９）で構成されており、
スタンド台（１０）、第１アーム（１１）、第２アーム（１２）、およびルーペ本体（１）の各部材が、Ｏリング（４７・６１・７９）の周方向の摩擦抵抗で任意の変位位置において位置保持されている請求項１に記載のスタンド付きルーペ。
【請求項３】
ルーペ本体（１）が、レンズ（３）と、レンズ（３）を支持するレンズホルダー（４）とを備えており、
レンズホルダー（４）の内縁に沿って、レンズ（３）の周縁表面を受止める部分円弧状の表リブ（９１）と、レンズ（３）の周縁裏面を受止める部分円弧状の裏リブ（９２）とが交互に設けられており、
レンズホルダー（４）の周囲には、レンズホルダー（４）の内縁に達するレンズ装着口（９３）が形成されており、
レンズ装着口（９３）から差込んだレンズ（３）の周縁を表リブ（９１）と裏リブ（９２）との間にはめ込んで、レンズ（３）が１個のレンズホルダー（４）で支持されている請求項１または２に記載のスタンド付きルーペ。
【請求項４】
第１アーム（１１）の一端および他端に、第１連結部（２１）と第２連結部（２２）とが設けられており、
第２アーム（１２）の一端および他端に、第２連結部（３４）と第３連結部（３５）とが設けられており、
第１関節構造（Ｈ１）が、スタンド台（１０）と、スタンド台（１０）の一側に配置した第１連結部（２１）と、これら両者（１０・２１）を連結する第１連結軸（４５）とを備えており、
第２関節構造（Ｈ２）が、第１アーム（１１）の第２連結部（２２）と、前記第２連結部（２２）の一側に配置した第２アーム（１２）の第２連結部（３４）と、これら両者（２２・３４）を連結する第２連結軸（５８）とを備えており、
第３関節構造（Ｈ３）が、第２アーム（１２）の第３連結部（３５）と、前記第３連結部（３５）の一側に配置されたルーペ本体（１）と、これら両者（１・３５）を連結する第３連結軸（７７）とを備えており、
スタンド台（１０）の一側に、第１アーム（１１）と第２アーム（１２）とルーペ本体（１）とが記載順に隣接配置されて、スタンド台（１０）と第１アーム（１１）、および第１アーム（１１）と第２アーム（１２）とが、３６０度相対回転自在に連結してある請求項１から３のいずれかひとつに記載のスタンド付きルーペ。
【請求項５】
スタンド台（１０）が、磁石（１３）と、磁石（１３）を固定保持する磁石ホルダー（１４）と、磁石ホルダー（１４）の周囲一側から連出されるＬ字状の台連結アーム（１５）とを備えていて、台連結アーム（１５）が第１連結軸（４５）で第１連結部（２１）に連結されており、
ルーペ本体（１）が、レンズ（３）と、レンズ（３）を支持するレンズホルダー（４）と、レンズホルダー（４）の周囲一側から連出されるＬ字状のレンズ連結アーム（５）とを備えていて、レンズ連結アーム（５）が第３連結軸（７７）で第３連結部（３５）に連結されており、
第１アーム（１１）と第２アーム（１２）を平行に折りたたんだ状態において、スタンド台（１０）を第１連結軸（４５）の周りに回転操作して第１アーム（１１）の外側方に折りたたみ収納でき、かつ、ルーペ本体（１）を第３連結軸（７７）の周りに回転操作して、前記両アーム（１１・１２）およびスタンド台（１０）の上下いずれか一側に折りたたみ収納できる請求項１から４のいずれかひとつに記載のスタンド付きルーペ。
【請求項６】
ルーペ本体（１）を前記両アーム（１１・１２）およびスタンド台（１０）の上下いずれか一側に折りたたみ収納した状態において、
前記両アーム（１１・１２）が占める長手方向の長さ範囲内にルーペ本体（１）が収納され、レンズ（３）の中心がルーペ中心軸線（Ｐ）の近傍に位置している請求項５に記載のスタンド付きルーペ。
【請求項７】
レンズホルダー（４）の周囲に、ルーペ本体（１）を変位操作するつまみ部（６）が張出し形成してある請求項５または６に記載のスタンド付きルーペ。
【請求項８】
第１、第２、第３の各連結軸（４５・５８・７７）のそれぞれが、各連結軸（４５・５８・７７）の軸端に固定した抜止体（４６・５９・６０・７８）で、第１、第２、第３の各連結部（２１・２２・３４・３５）に対して抜外れ不能に固定されており、
抜止体（４６・５９・６０・７８）は、弾性変形可能な脚片（５３・７３・８６）と、脚片（５３・７３・８６）の差込限界を規定する操作頭部（５２・７２・８５）とを一体に備えており、
第１、第２、第３の各連結軸（４５・５８・７７）の軸端に設けた係合溝（４９・６６・６７・８１）に前記脚片（５３・７３・８６）を圧嵌装着して、各連結軸（４５・５８・７７）が抜止めしてある請求項１から７のいずれかひとつに記載のスタンド付きルーペ。
【請求項９】
第１連結軸（４５）と第２連結軸（５８）の中心間距離と、第２連結軸（５８）と第３連結軸（７７）の中心間距離とが同じに設定されており、
第１連結部（２１）と第３連結部（３５）のそれぞれに、抜止体（４６・７８）の操作頭部（５２・８５）を受入れる同じ直径の挿嵌穴（２６・４３）が形成されており、
前記一方の抜止体（４６）の操作頭部（５２）の外端が挿嵌穴（２６）の外方へ突出されて係合軸部（５５）を構成しており、
第１アーム（１１）と第２アーム（１２）を平行に折りたたんだ状態において、前記係合軸部（５５）が隣接する抜止体（７８）の挿嵌穴（３８）と係合して、両アーム（１１・１２）を折りたたみ姿勢に保持している請求項８に記載のスタンド付きルーペ。
【請求項１０】
第１アーム（１１）と第２アーム（１２）のいずれか一方の第２連結部（２２）にストラップ穴（３０）が形成されており、
前記両アーム（１１・１２）を平行に折りたたんだ状態において、前記ストラップ穴（３０）の両端開口が、自由空間に臨む第２連結部（２２）の周面に開口してある請求項１から９のいずれかひとつに記載のスタンド付きルーペ。
【発明の詳細な説明】
【技術分野】
【０００１】
本発明は、ルーペ本体と、ルーペ本体を支持するスタンドを備えているルーペに関する。
【背景技術】
【０００２】
この種のルーペは、例えば特許文献１に公知である。そこでは、ルーペ本体と、ルーペ本体を支持する柄と、柄に連結される左右一対の脚板と、台板とでルーペを構成している。柄の一端はルーペ本体に連結軸を介して連結してあり、柄の他端は一対の脚板の一端に連結軸を介して連結してある。また、一対の脚板の他端はＣ字枠状の台板に連結軸を介して連結してあり、柄、脚板、台板で構成されるスタンドには、合計で３個の関節構造が設けてある。このスタンド付きルーペによれば、台板を平坦面上に載置し、柄と脚板をく字状に屈曲させ、さらにルーペ本体を平坦面と概ね平行な姿勢にした載置状態で使用することができる。また、柄を一対の脚板の間に折りたたみ、さらに台板を折りたたんでレンズフレームの周縁に外嵌し、柄および脚板を片手で握った手持状態で使用することができる。特許文献２にも同様のルーペが開示してあるが、そこでは、脚板を柄と同様の中実板材で形成するので、折りたたんだ状態の脚板と柄とが表裏に重なり合う点が特許文献１のルーペと異なる。
【０００３】
本発明のルーペにおいては、支持アームの一端に連結したスタンド台に磁石を埋設して、ルーペ全体を磁石の吸着作用で磁性金属材の表面に固定するが、この種のルーペは特許文献３に公知である。そこでは、支持ケースと、一端が支持ケースに固定されるフレキシブル管と、フレキシブル管の突端にブラケットを介して固定されるルーペ本体と、支持ケースに埋設固定される磁石などで拡大鏡を構成している。
【先行技術文献】
【特許文献】
【０００４】
【特許文献１】登録実用新案第３０８８２１０号公報（段落番号０００８〜００１０、図４）
【特許文献２】登録実用新案第３０８４４００号公報（段落番号０００５〜０００７、図６）
【特許文献３】実開昭６３−４１１１５号公報（第５頁１０行〜６頁１１行、図２）
【発明の概要】
【発明が解決しようとする課題】
【０００５】
特許文献１、２のスタンド付きルーペは、スタンドが３個の関節構造を備えているので、ルーペ本体の姿勢を様々に変更できる。しかし、ルーペ全体の重量によってスタンドの載置姿勢を維持するものであるため、スタンドの姿勢によってはルーペ本体を安定した状態で支持できないことがある。例えば、載置面が傾斜している場合には、ルーペが載置面の傾斜下端へ向かって滑り動く。あるいは、載置面に凹凸があって、台板全体を支持するだけの平坦面がない場合には、ルーペが傾動した姿勢で支持されてしまう。また、載置面が概ね水平で平坦であったとしても、脚板、柄、ルーペ本体の三者合計の重心位置が台板の外郭縁の外にある使用状態では、ルーペに傾動モーメントが作用して転倒してしまう。とくにレンズがガラス製で重たい場合には大きな傾動モーメントが作用しやすく、ルーペ本体を安定した状態で支持できる姿勢の範囲に限度がある。例えば、脚板、柄、ルーペ本体が台板から離れる向きへ伸長してある場合には、その姿勢を保持できず載置面上に倒れこんでしまう。
【０００６】
また、特許文献１のルーペは、全体を折りたたんだ状態において、柄を一対の脚板の間に収容できるものの、柄および脚板の一端にルーペ本体と台板が突出するため、全体の折りたたみ姿勢の外形寸法が大きく、携行時に嵩張りやすい。さらに、柄とルーペ本体の間、柄と脚板の間、脚板と台板の間に設けられる各関節構造は、いずれも隣接する連結部どうしを連結軸で単に連結しているにすぎない。そのため、連結軸または連結部が僅かでも摩耗すると、ルーペ本体、柄、脚板の変位姿勢を保持することが困難となり、ルーペ本体をスタンドで支持した状態にして、ハンドフリー状態で作業を行える利点が損なわれてしまう。
【０００７】
その点、特許文献３の拡大鏡は、磁石の吸着作用で支持ケースを磁性金属材の表面に強固に固定できるので、ルーペ本体を常に安定した状態で支持し、その姿勢を自由に変更できる。また、使用期間が長期にわたる場合であっても、フレキシブル管の姿勢保持機能が損なわれることも無い。しかし、フレキシブル管でルーペ本体を支持するので、拡大鏡を小形化するのが難しく、例えば、図１５に示すように、手動工具に磁気吸着させた状態で使用する比較的小形のルーペを構成することが困難となる。また、フレキシブル管の折曲げ半径に限度があるため、磁石を拡大鏡の視認対象の近傍に吸着させることが難しく使い勝手が悪い。
【０００８】
本発明の目的は、ルーペ本体やスタンドの姿勢とは無関係に、ルーペ本体を常に安定した状態で支持でき、さらに、長期使用時にもルーペ本体およびスタンドの姿勢を確実に保持して、常にハンドフリー状態で作業を行えるスタンド付きルーペを提供することにある。
本発明の目的は、手動工具や鋼板壁などの磁性金属材に磁気吸着させた状態で使用でき、さらに磁石をルーペの視認対象の近傍に吸着させた状態で使用できる、使い勝手に優れたスタンド付きルーペを提供することにある。
本発明の目的は、ルーペ全体を小形化でき、さらにルーペ全体の折りたたみ姿勢をコンパクト化して、携行あるいは収納するのに好適なスタンド付きルーペを提供することにある。
【課題を解決するための手段】
【０００９】
本発明に係るスタンド付きルーペは、ルーペ本体１と、ルーペ本体１を支持するスタンド２を備えている。図１に示すようにスタンド２は、スタンド台１０と、第１アーム１１と、第２アーム１２と、スタンド台１０と第１アーム１１とを連結する第１関節構造Ｈ１と、第１アーム１１と第２アーム１２とを連結する第２関節構造Ｈ２と、第２アーム１２とルーペ本体１とを連結する第３関節構造Ｈ３とを備えている。第１から第３の各関節構造Ｈ１・Ｈ２・Ｈ３は、連結相手どうしが第１、第２、第３の各連結軸４５・５８・７７を中心にして相対回転できるように構成する。スタンド台１０に、磁性金属材に吸着してルーペ本体１およびスタンド２を支持する磁石１３を固定する。第１から第３の各関節構造Ｈ１・Ｈ２・Ｈ３に、スタンド台１０、第１アーム１１、第２アーム１２、およびルーペ本体１の各部材を任意の変位位置において位置保持する位置保持体４７・６１・７９を設けることを特徴とする。
【００１０】
図７および図１０に示すように、位置保持体は、第１、第２、第３の各連結軸４５・５８・７７の周囲に装着したＯリング４７・６１・７９で構成する。スタンド台１０、第１アーム１１、第２アーム１２、およびルーペ本体１の各部材を、Ｏリング４７・６１・７９の周方向の摩擦抵抗で任意の変位位置において位置保持する。
【００１１】
ルーペ本体１は、レンズ３と、レンズ３を支持するレンズホルダー４とを備えている。図１１に示すように、レンズホルダー４の内縁に沿って、レンズ３の周縁表面を受止める部分円弧状の表リブ９１と、レンズ３の周縁裏面を受止める部分円弧状の裏リブ９２とを交互に設ける。レンズホルダー４の周囲には、レンズホルダー４の内縁に達するレンズ装着口９３を形成する。レンズ装着口９３から差込んだレンズ３の周縁を表リブ９１と裏リブ９２との間にはめ込んで、レンズ３を１個のレンズホルダー４で支持する。
【００１２】
図２に示すように、第１アーム１１の一端および他端に、第１連結部２１と第２連結部２２を設ける。第２アーム１２の一端および他端に、第２連結部３４と第３連結部３５を設ける。第１関節構造Ｈ１は、スタンド台１０と、スタンド台１０の一側に配置した第１連結部２１と、これら両者１０・２１を連結する第１連結軸４５とを備えている。第２関節構造Ｈ２は、第１アーム１１の第２連結部２２と、前記第２連結部２２の一側に配置した第２アーム１２の第２連結部３４と、これら両者２２・３４を連結する第２連結軸５８を備えている。第３関節構造Ｈ３は、第２アーム１２の第３連結部３５と、前記第３連結部３５の一側に配置されたルーペ本体１と、これら両者１・３５を連結する第３連結軸７７を備えている。スタンド台１０の一側に、第１アーム１１と第２アーム１２とルーペ本体１を記載順に隣接配置する。スタンド台１０と第１アーム１１、および第１アーム１１と第２アーム１２とは、３６０度相対回転自在に連結する。
【００１３】
スタンド台１０は、磁石１３と、磁石１３を固定保持する磁石ホルダー１４と、磁石ホルダー１４の周囲一側から連出されるＬ字状の台連結アーム１５とを備えており、台連結アーム１５は第１連結軸４５で第１連結部２１に連結してある。ルーペ本体１は、レンズ３と、レンズ３を支持するレンズホルダー４と、レンズホルダー４の周囲一側から連出されるＬ字状のレンズ連結アーム５とを備えており、レンズ連結アーム５は第３連結軸７７で第３連結部３５に連結してある。第１アーム１１と第２アーム１２を平行に折りたたんだ状態において、スタンド台１０を第１連結軸４５の周りに回転操作することにより、図５に示すように、スタンド台１０を第１アーム１１の外側方に折りたたみ収納できる。また、ルーペ本体１を第３連結軸７７の周りに回転操作することにより、ルーペ本体１を前記両アーム１１・１２およびスタンド台１０の上下いずれか一側に折りたたみ収納できる。
【００１４】
ルーペ本体１を前記両アーム１１・１２およびスタンド台１０の上下いずれか一側に折りたたみ収納した状態において、前記両アーム１１・１２が占める長手方向の長さ範囲内にルーペ本体１が収納されるようにする。さらに、レンズ３の中心をルーペ中心軸線Ｐの近傍に位置させる。
【００１５】
レンズホルダー４の周囲に、ルーペ本体１を変位操作するつまみ部６を張出し形成する。
【００１６】
第１、第２、第３の各連結軸４５・５８・７７のそれぞれを、各連結軸４５・５８・７７の軸端に固定した抜止体４６・５９・６０・７８で、第１、第２、第３の各連結部２１・２２・３４・３５に対して抜外れ不能に固定する。抜止体４６・５９・６０・７８は、弾性変形可能な脚片５３・７３・８６と、脚片５３・７３・８６の差込限界を規定する操作頭部５２・７２・８５とを一体に備えている。図７および図１０に示すように、第１、第２、第３の各連結軸４５・５８・７７の軸端に設けた係合溝４９・６６・６７・８１に前記脚片５３・７３・８６を圧嵌装着して、各連結軸４５・５８・７７を抜止めする。
【００１７】
第１連結軸４５と第２連結軸５８の中心間距離と、第２連結軸５８と第３連結軸７７の中心間距離とは同じに設定する。第１連結部２１と第３連結部３５のそれぞれに、抜止体４６・７８の操作頭部５２・８５を受入れる同じ直径の挿嵌穴２６・４３を形成する。前記一方の抜止体４６の操作頭部５２の外端は、挿嵌穴２６の外方へ突出されて係合軸部５５を構成している。第１アーム１１と第２アーム１２を平行に折りたたんだ状態において、図１０に示すように、前記係合軸部５５を隣接する抜止体７８の挿嵌穴３８に係合させて、両アーム１１・１２を折りたたみ姿勢に保持する。
【００１８】
第１アーム１１と第２アーム１２のいずれか一方の第２連結部２２にストラップ穴３０を形成する。前記両アーム１１・１２を平行に折りたたんだ状態において、ストラップ穴３０の両端開口は、自由空間に臨む第２連結部２２の周面に開口している。
【発明の効果】
【００１９】
本発明においては、ルーペ本体１を支持するスタンド２を、スタンド台１０と、第１アーム１１と、第２アーム１２と、これらの部材を連結する第１から第３の各関節構造Ｈ１・Ｈ２・Ｈ３などで構成した。また、関節構造Ｈ１・Ｈ２・Ｈ３は、連結相手どうしが第１、第２、第３の各連結軸４５・５８・７７を中心にして相対回転できるように構成し、各関節構造Ｈ１・Ｈ２・Ｈ３に設けた位置保持体４７・６１・７９で、各部材を任意の変位位置において位置保持できるようにした。さらに、スタンド台１０に磁石１３を固定して、磁石１３の磁気吸着作用でルーペ本体１およびスタンド２を安定した状態で強固に支持できるようにした。
【００２０】
従って、本発明に係るスタンド付きルーペによれば、ルーペ本体１やスタンド２の姿勢とは無関係に、ルーペ本体１およびスタンド２をスタンド台１０で常に安定した状態で支持できる。また、スタンド台１０の載置面Ｓが傾斜している場合や、載置面Ｓの面積が小さい場合にも、任意姿勢に変位操作されたルーペ本体１およびスタンド２を、載置面Ｓに吸着させた磁石１３の吸着力で確実に支持できる。さらに、長期使用時にも、第１アーム１１、第２アーム１２、およびルーペ本体１の姿勢を、位置保持体４７・６１・７９で確実に保持できるので、常にハンドフリー状態で作業を行えるスタンド付きルーペを提供できる。
【００２１】
また、本発明のスタンド付きルーペにおいては、連結相手どうしを各連結軸４５・５８・７７を中心にして相対回転させて、ルーペ本体１の姿勢を変更するので、フレキシブル管でルーペ本体を支持する従来のルーペに比べて、ルーペ本体１の姿勢変更の自由度を大幅に拡大できる。そのため、例えば磁石１３をルーペ本体１の視認対象の近傍に吸着させるなど、ルーペ本体１とスタンド台１０との位置関係を自由に設定した状態でスタンド付きルーペを使用できる。これに伴い、磁石１３を手動工具や壁や台板に磁気吸着させ、あるいは平坦な木質台板上に載置するなど、従来の３関節構造のスタンドを備えたルーペに比べて、ルーペ本体１およびスタンド２を、より多様で自由な使用形態に変形することができ、その分だけスタンド付きルーペの使い勝手を向上できる。
【００２２】
スタンド台１０、第１アーム１１、第２アーム１２、およびルーペ本体１の各部材を、Ｏリング４７・６１・７９の周方向の摩擦抵抗で位置保持すると、リング穴２５・３８・４２あるいは各連結軸４５・５８・７７に対して、所定の摩擦力を常に安定した状態で付与できる。従って、各部材の姿勢変更操作を軽快に行ないながら、変更された姿勢を的確に位置保持できる。また、位置保持要素として他の部材を使用する場合に比べて、組立の手間、および組立後の摩擦力の調整などの手間を省くことができる。例えば、各連結軸４５・５８・７７の中心軸方向に弾性変形する位置保持要素を用いる場合には、連結相手の対向面間に位置保持要素を組付けたのち、その摩擦力を調整する必要があるが、こうした手間を掛ける必要もなく、単に各リング４７・６１・７９を各連結軸４５・５８・７７に装着するだけで済む。
【００２３】
レンズホルダー４の内縁に沿って表リブ９１と裏リブ９２を交互に設け、レンズ装着口９３から差込んだレンズ３の周縁を表リブ９１と裏リブ９２との間にはめ込むようにすると、レンズ３を構造が簡単な１個のレンズホルダー４のみで固定支持できる。従って、レンズホルダー４の構造を簡素化して、その製造に要するコストを削減でき、さらに、ルーペ本体１の外観の印象をシンプルなものとすることができる。また、レンズホルダー４と一体に形成した表リブ９１と裏リブ９２でレンズ３の周縁を上下に挟持するので、レンズ３をより強固に固定できる。なお、従来のレンズホルダーでは、厚み方向に２分割された一対のホルダー枠でレンズの表裏を挟持しており、そのため余分なパーツが必要で、さらに一対のホルダー枠を固定する構造も必要であった。
【００２４】
スタンド台１０の一側に、第１アーム１１と第２アーム１２とルーペ本体１を記載順に隣接配置し、これらの部材を各連結軸４５・５８・７７で連結して、スタンド台１０と第１アーム１１、および第１アーム１１と第２アーム１２を、それぞれ３６０度相対回転自在にすると、スタンド２およびルーペ本体１の姿勢変更の自由度をさらに向上できる。従って、ルーペ本体１およびスタンド２の姿勢を、ルーペを使用するときの作業内容や、作業環境に応じて多様に変更して、スタンド付きルーペの使い勝手をさらに向上できる。スタンド台１０、第１アーム１１、第２アーム１２、ルーペ本体１の４者と、これらの部材を連結する第１から第３の各関節構造Ｈ１・Ｈ２・Ｈ３とでスタンド付きルーペを構成するので、スタンド２およびルーペ本体１の姿勢変更の自由度を維持したままで、ルーペを必要なだけ小形化しコンパクト化することができる。コンパクト化された小形のスタンド付きルーペは、例えば、手動工具の一部に磁石１３を吸着させた状態で使用するのに適している。
【００２５】
磁石ホルダー１４の周囲一側にＬ字状の台連結アーム１５を設け、レンズホルダー４の周囲一側にＬ字状のレンズ連結アーム５を設けるスタンド付きルーペは、スタンド台１０を第１連結軸４５の周りに回転操作して、第１アーム１１の外側方に折りたたみ収納できる。また、第１アーム１１と第２アーム１２を平行に折りたたんだ状態において、ルーペ本体１を第３連結軸７７の周りに回転操作することにより、両アーム１１・１２およびスタンド台１０の上面側、あるいは下面側へ折りたたみ収納することができる。従って、従来の３関節構造のスタンド付きルーペに比べて、ルーペ本体１をスタンド２側へ折りたたんだ分だけ、ルーペ全体の外形寸法を小さくして折りたたみ姿勢をコンパクト化することができる。コンパクトに折りたたまれたスタンド付きルーペは、例えば作業衣のポケットなどに収納した状態で容易に携行でき、スタンド付きルーペを保管するときに必要な保管スペースも小さくできる。
【００２６】
ルーペ本体１をスタンド２側へ折りたたみ収納した状態において、前記両アーム１１・１２が占める長手方向の長さ範囲内にルーペ本体１を収めるようにすると、ルーペ全体の外形寸法を小さくして、折りたたみ姿勢をさらにコンパクト化できる。また、レンズ３の中心をルーペ中心軸線Ｐの近傍に位置させることにより、ルーペ本体１が前記両アーム１１・１２の一側方へ偏った状態で突出するのを避けて、ルーペ全体の折りたたみ姿勢を左右でバランスよくコンパクト化して、ルーペ全体の左右方向の外形寸法を小さくできる。
【００２７】
レンズホルダー４の周囲につまみ部６が張出し形成してあると、ルーペ本体１を変位操作するとき、操作すべき位置がつまみ部６であることを強調できる。また、つまみ部６を指先で摘んだ状態でルーペ本体１を変位操作することにより、指先に付着した異物や汚れが、誤ってレンズ３の表面に付着するのをよく防止できる。
【００２８】
弾性変形可能な脚片５３・７３・８６と、操作頭部５２・７２・８５とを一体に備えた抜止体４６・５９・６０・７８で、第１、第２、第３の各連結軸４５・５８・７７を抜止すると、各関節構造Ｈ１・Ｈ２・Ｈ３における一連の組立作業をより少ない手間で簡便に行える。組立時には、各脚片５３・７３・８６を、第１、第２、第３の各連結軸４５・５８・７７の係合溝４９・６６・６７・８１に対して、単に圧嵌装着するだけでよく、治具や工具を用いる必要もなく迅速かつ容易に組立を行えるからである。
【００２９】
第１アーム１１と第２アーム１２を平行に折りたたんだ状態において、一方の抜止体４６に設けた係合軸部５５を隣接する抜止体７８の挿嵌穴４３に係合させると、両アーム１１・１２を折りたたみ姿勢に保持できる。従って、スタンド付きルーペを手持ち状態で使用する場合や、ルーペ全体を折りたたみ収納した状態において、両アーム１１・１２が分離揺動するのを規制して、使用者が明確な意図をもって両アーム１１・１２を分離揺動しない限りは、手持ち状態や折りたたみ収納状態を確実に維持できる。
【００３０】
第２連結部２２に形成したストラップ穴３０の両端開口を、自由空間に臨む第２連結部２２の周面に開口すると、ストラップのストラップ穴３０に対する組付けを簡便に行える。また、第１アーム１１と第２アーム１２のいずれか一方の第２連結部２２にストラップを装着することになるので、スタンド付きルーペを手持ち状態で使用する際、あるいはルーペ全体を折りたたみ収納する際に、ストラップが邪魔になるのをよく防止できる。
【図面の簡単な説明】
【００３１】
【図１】本発明に係るスタンド付きルーペの側面図である。
【図２】スタンド付きルーペの分解平面図である。
【図３】スタンド付きルーペの全体を伸長させた状態の平面図である。
【図４】スタンド付きルーペを折りたたみ収納した状態の側面図である。
【図５】スタンド付きルーペを折りたたみ収納した状態の平面図である。
【図６】図４におけるＡ−Ａ線断面図である。
【図７】図４におけるＢ−Ｂ線断面図である。
【図８】図７におけるＣ−Ｃ線断面図である。
【図９】図７におけるＤ−Ｄ線断面図である。
【図１０】図４におけるＥ−Ｅ線断面図である。
【図１１】レンズ装着構造を示すルーペ本体の底面図である。
【図１２】図１１におけるＦ−Ｆ線断面図である。
【図１３】スタンド付きルーペの使用形態を示す斜視図である。
【図１４】スタンド付きルーペの別の使用形態を示す斜視図である。
【図１５】スタンド付きルーペのさらに別の使用形態を示す平面図である。
【図１６】別の実施例に係るスタンド付きルーペの全体を伸長させた状態の平面図、および左側面図である。
【図１７】図１６のスタンド付きルーペを折りたたみ収納した状態の左側面図である。
【図１８】図１６のスタンド付きルーペを折りたたみ収納した状態の平面図である。
【図１９】図１６のスタンド付きルーペの外観６面図である。
【図２０】図１７および図１８のスタンド付きルーペの外観６面図である。
【図２１】スタンドにクリップを連結したスタンド付きクリップの一部破断平面図である。
【発明を実施するための形態】
【００３２】
（実施例）  図１ないし図１５は、本発明に係るスタンド付きルーペの実施例を示す。なお、本発明における前後、左右、上下とは、図１、図２、図３および図１３に示す交差矢印と、各矢印の近傍に表記した前後、左右、上下の表示に従うものとし、前後、左右、上下の各方位方向はスタンド台１０を位置基準にしている。
【００３３】
図１において、スタンド付きルーペは、ルーペ本体１と、ルーペ本体１を支持するスタンド２とで構成する。ルーペ本体１は、円形のプラスチック製のレンズ（凸レンズ）３と、レンズ３を支持するレンズホルダー４とで構成する。レンズホルダー４は無端環状のプラスチック成形品からなり、図２においてレンズホルダー４の周面の左側前部にＬ字状のレンズ連結アーム５が前向きに連出され、レンズ連結アーム５と同じ側の周面の後部に、ルーペ本体１を変位操作するつまみ部６が花弁状に張出し形成してある。レンズ連結アーム５には、後述する第３連結軸７７が横向きに突出する状態で一体に設けてある。
【００３４】
スタンド２は、スタンド台１０と、第１アーム１１と、第２アーム１２と、スタンド台１０と第１アーム１１とを連結する第１関節構造Ｈ１と、第１アーム１１と第２アーム１２とを連結する第２関節構造Ｈ２と、第２アーム１２とルーペ本体１とを連結する第３関節構造Ｈ３などで構成する。
【００３５】
図２において、スタンド台１０は、鋼板などの磁性金属材に吸着してルーペ本体１およびスタンド２を支持する円柱状の磁石１３と、磁石１３を固定保持する磁石ホルダー１４とを備えている。磁石ホルダー１４はプラスチック成形品からなり、その周面の前部右寄りにＬ字状の台連結アーム１５が前向きに連出してある。台連結アーム１５には、後述する第１連結軸４５が横向きに突出する状態で一体に設けてある。磁石１３は好ましくはネオジウム磁石からなり、全体が磁石ホルダー１４に設けた取付穴１６に装着されて接着してあり、この固定状態において平坦な一方の磁極面が取付穴１６の開口面の外へ僅かに突出している。磁石１３の吸着力は、ルーペ本体１およびスタンド２を任意の姿勢に変位させた状態において、スタンド台１０に作用する傾動モーメントに対抗して、磁石１３が磁性金属材と吸着した状態を維持できる強さであればよく、その限りでは、ネオジウム磁石以外の磁石１３であってもよい。
【００３６】
図２において第１アーム１１は、前後に長い棒状のアーム部２０と、アーム部２０の前端に設けられるボス状の第１連結部２１と、アーム部２０の後端に設けられるボス状の第２連結部２２とを一体に備えたプラスチック成形品からなる。図６に示すように、アーム部２０は断面Ｕ字状に形成されて、Ｕ字壁の間に補強リブ２３が一定間隔おきに形成してある。第１連結部２１の側端は、アーム部２０よりも右側方（外側方）へ突出する状態で設けてあり、その内部の中央に、第１連結軸４５を軸支する連結穴２４が形成され、連結穴２４の右端にリング穴２５が、左端に挿嵌穴２６が形成してある。リング穴２５には後述するＯリング（位置保持体）４７が挿嵌され、挿嵌穴２６には後述する抜止体４６が挿嵌される。挿嵌穴２６の直径は連結穴２４の直径より僅かに大きく、リング穴２５の直径は挿嵌穴２６の直径より僅かに大きく設定してある。
【００３７】
第１アーム１１の第２連結部２２は、第１連結部２１と同様に、アーム部２０よりも右側方（外側方）へ突出する状態で設けてあり、その内部に後述する第２連結軸５８を固定する断面小判形の固定穴２７が形成され、固定穴２７の右端に挿嵌穴２８が形成してある。挿嵌穴２８には後述する抜止体６０が挿嵌される。挿嵌穴２８の直径は固定穴２７の円弧部の直径より僅かに大きく設定してある。第１アーム１１の第２連結部２２にはストラップ穴３０が形成してある。ストラップ穴３０は、図１４および図９に示すように、第１アーム１１と第２アーム１２を平行に折りたたんだ状態において、ストラップ穴３０の両端開口が、自由空間に臨む第２連結部２２の周面に開口するように形成してある。
【００３８】
第２アーム１２は、前後に長い棒状のアーム部３３と、アーム部３３の後端に設けられるボス状の第２連結部３４と、アーム部３３の前端に設けられるボス状の第３連結部３５とを一体に備えたプラスチック成形品からなる。アーム部３３は断面Ｕ字状に形成されて、Ｕ字壁の間に補強リブ３６が一定間隔おきに形成してある（図１および図６参照）。第２連結部３４は、アーム部３３よりも左側方（外側方）へ突出する状態で設けてあり、その内部に、後述する第２連結軸５８を軸支する連結穴３７が形成され、連結穴３７の右端にＯリング６１用のリング穴３８が、左端に抜止体５９用の挿嵌穴３９が形成してある。挿嵌穴３９の直径は連結穴３７の直径より僅かに大きく、リング穴３８の直径は挿嵌穴３９の直径より僅かに大きく設定してある。
【００３９】
第３連結部３５は、第２連結部３４と同様に、アーム部３３よりも左側方（外側方）へ突出する状態で設けてあり、その内部の中央に、後述する第３連結軸７７を軸支する連結穴４１が形成され、連結穴４１の左端にＯリング７９用のリング穴４２が、右端に抜止体７８用の挿嵌穴４３が形成してある。挿嵌穴４３の直径は連結穴４１の直径より僅かに大きく、リング穴４２の直径は挿嵌穴４３の直径より僅かに大きく設定してある。なお、第３連結部３５における挿嵌穴４３は、図１０に示すように第１アーム１１の第１連結部２１と隣接しており、第１連結部２１に設けた挿嵌穴２６と、第３連結部３５に設けた挿嵌穴４３との直径は同じに設定してある。また、第１連結軸４５と第２連結軸５８の中心間距離と、第２連結軸５８と第３連結軸７７の中心間距離とは同じに設定してある。従って、第１アーム１１と第２アーム１２を平行に折りたたんだ状態においては、第１連結部２１の挿嵌穴２６と、第３連結部３５の挿嵌穴４３とが、僅かな隙間を介して左右に対向する。
【００４０】
図３において第１関節構造Ｈ１は、スタンド台１０の台連結アーム１５と、台連結アーム１５の一側に配置した第１アーム１１の第１連結部２１と、これら両者１５・２１を連結する丸軸状の第１連結軸４５と、第１連結軸４５の軸端に固定した抜止体４６と、第１連結軸４５の周囲に装着したＯリング（位置保持体）４７などで構成する。先に説明したように、第１連結軸４５は台連結アーム１５と一体に形成してあり、その突出基端にＯリング４７を装着するためのリング溝４８が形成してある。また、第１連結軸４５の軸端には、抜止体４６を係合するための係合溝４９が形成され、その内奥に段部５０（図１０参照）が設けてある。Ｏリング４７は市販品であり、以下に説明するＯリング６１・７９も同様に市販品である。
【００４１】
第１連結軸４５の抜止体４６は、丸軸状の操作頭部５２と、弾性変形可能な一対の脚片５３を一体に備えたプラスチック成形品からなる。脚片５３の先端には、先の係合溝４９の段部５０と係合する係合爪５４が一体に設けてある。図１０に示すように、脚片５３を係合溝４９に係合した状態において、操作頭部５２は挿嵌穴２６に受止められて、脚片５３の差込限界を規定している。操作頭部５２の軸方向長さは、挿嵌穴２６の穴中心軸方向の長さより大きく設定されており、従って、脚片５３を係合溝４９に係合した状態において、操作頭部５２の外端は挿嵌穴２６の外方へ突出する。この突出部分の突端周縁は丸められていて係合軸部５５として機能する。詳しくは、第１アーム１１と第２アーム１２を平行に折りたたんだ状態において、係合軸部５５が隣接する抜止体７８の挿嵌穴４３と係合して、両アーム１１・１２を折りたたみ姿勢に保持する。
【００４２】
第２関節構造Ｈ２は、第１アーム１１の第２連結部２２と、この第２連結部２２の左側に配置した第２アーム１２の第２連結部３４と、これら両者２２・３４を連結する第２連結軸５８と、第２連結軸５８の左右の軸端に固定した抜止体５９・６０と、第２連結軸５８の周囲に装着したＯリング（位置保持体）６１などで構成する。図２、図７において、第２連結軸５８は、右半側の固定軸部６２と、左半側の丸軸状の支軸部６３と、両軸部６２・６３の間に設けられるフランジ部６４を一体に備えたプラスチック成形品からなる。支軸部６３とフランジ部６４との間には、Ｏリング６１を装着するためのリング溝６５が形成してあり、固定軸部６２および支軸部６３の軸端には、抜止体５９・６０を係合するための係合溝６６・６７が形成され、それぞれの内奥に段部６８・６９が設けてある。
【００４３】
第２連結軸５８の抜止体５９・６０は、それぞれ突端が部分球面状に丸められた操作頭部７２と、弾性変形可能な一対の脚片７３を一体に備えた、同一構造のプラスチック成形品からなる。脚片７３の先端には、先の係合溝６６・６７の段部６８・６９と係合する係合爪７４が一体に設けてある。固定軸部６２は断面が小判形に形成してあり、これを第１アーム１１の第２連結部３４に設けた固定穴２７に差込み係合し、さらに、一方の抜止体６０を固定軸部６２側の係合溝６６に圧嵌係合することにより、第２連結軸５８が第１アーム１１と相対回転不能に一体化される。抜止体５９・６０の操作頭部７２は、それぞれの脚片７３を係合溝６６・６７に係合した状態において、挿嵌穴２８・３９に受止められて脚片７３の差込限界を規定している。
【００４４】
第３関節構造Ｈ３は、第２アーム１２の第３連結部３５と、第２アーム１２の第３連結部３５の左側に配置されたルーペ本体１のレンズ連結アーム５と、これら両者５・３５を連結する丸軸状の第３連結軸７７と、第３連結軸７７の軸端に固定した抜止体７８と、第３連結軸７７の周囲に装着したＯリング（位置保持体）７９などで構成する。先に説明したように、第３連結軸７７はレンズ連結アーム５と一体に形成してあり、その突出基端にＯリング７９を装着するためのリング溝８０が形成してある。また、第３連結軸７７の軸端には、抜止体７８を係合するための係合溝８１が形成され、その内奥に段部８２が設けてある。
【００４５】
第３連結軸７７の抜止体７８は、円盤状の操作頭部８５と、弾性変形可能な一対の脚片８６を一体に備えたプラスチック成形品からなる。脚片８６の先端には、先の係合溝８１の段部８２と係合する係合爪８７が一体に設けてある。図１０に示すように、脚片８６を係合溝８１に係合した状態において、操作頭部８５は挿嵌穴４３に受止められて、脚片８６の差込限界を規定している。操作頭部８５の軸方向長さは、挿嵌穴４３の穴中心軸方向の長さより小さく設定されており、従って、脚片８６を係合溝８１に係合した状態において、操作頭部８５は挿嵌穴４３の内奥に位置している。第１アーム１１と第２アーム１２を平行に折りたたんだ状態において、先の操作頭部８５と挿嵌穴４３の開口縁との間の穴部分に係合軸部５５が係合して、両アーム１１・１２を折りたたみ姿勢に保持する（図１０参照）。
【００４６】
以上のように、スタンド台１０と第１アーム１１の第１連結部２１とを第１関節構造Ｈ１で連結することにより、スタンド台１０と第１アーム１１とは、第１連結軸４５を中心にして３６０度相対回転できる。また、第１アーム１１の第２連結部２２と第２アーム１２の第２連結部３４とを第２関節構造Ｈ２で連結することにより、第１アーム１１と第２アーム１２とは、第２連結軸５８を中心にして３６０度相対回転できる。さらに第２アーム１２の第３連結部３５とルーペ本体１とを第３関節構造Ｈ３で連結することにより、第２アーム１２とルーペ本体１とは、第３連結軸７７を中心にして、レンズホルダー４が第２アーム１２のアーム部３３の上面あるいは下面に接当する優弧範囲を相対回転できる。第１から第３の各関節構造Ｈ１〜Ｈ３で連結された、スタンド台１０、第１アーム１１、第２アーム１２、およびルーペ本体１は、スタンド台１０の左側に記載順に隣接する状態で連結してある。
【００４７】
先に説明したようにルーペ本体１は、レンズ３と、レンズ３を支持するレンズホルダー４とを備えているが、レンズ３を１個のレンズホルダー４で支持するために、レンズホルダー４にレンズ装着構造を設けている。図１１に示すように、レンズ装着構造は、レンズホルダー４の内縁に沿って表リブ９１と裏リブ９２を交互に３個ずつ設け、レンズホルダー４の周囲の下面側の１個所にレンズ装着口９３を設けて構成する。表リブ９１はレンズホルダー４の内縁に部分円弧状に突設されて、レンズ３の周縁表面（上面）を受止める。同様に、裏リブ９２はレンズホルダー４の内縁に部分円弧状に突設されて、レンズ３の周縁裏面（下面）を受止める。レンズ装着口９３は、レンズ連結アーム５の突出基端に隣接する状態で斜めに切欠き形成されて、レンズホルダー４の内縁に達している。レンズ装着口９３から差込んだレンズ３の周縁を表リブ９１と裏リブ９２との間にはめ込むことにより、レンズ３は、その周縁が表リブ９１と裏リブ９２とで上下に挟持された状態でレンズホルダー４に固定される。
【００４８】
従来のレンズホルダーは、厚み方向に２分割された一対のホルダー枠でレンズの表裏を挟持しており、そのため、部品点数がホルダー枠と、一対のホルダー枠を固定する構造の分だけ増えるのを避けられない。しかし、上記のようにレンズ３を１個のレンズホルダー４で支持固定すると、ルーペ本体１の構造を簡素化して、その製造に要するコストを削減できる。また、レンズホルダー４と一体に設けた表リブ９１と裏リブ９２とで、レンズ３の周縁を上下に挟持するので、レンズ３を強固に固定支持できる。
【００４９】
ルーペ本体１とスタンド２とは、例えば以下の手順で組むことができる。まず、先に説明した要領でレンズ３をレンズホルダー４に組付け、さらに、各Ｏリング４７・６１・７９を第１、第２、第３の各連結軸４５・５８・７７に組付けておく。第１連結軸４５を第１連結部２１の連結穴２４に挿嵌し、その軸端に抜止体４６を差込み係合して、スタンド台１０を第１アーム１１に連結する。次に、第２連結軸５８の固定軸部６２を第１アーム１１の第２連結部２２の固定穴２７に挿嵌し、その軸端に抜止体６０を差込み係合して、第２連結軸５８を第１アーム１１に固定する。さらに、第２連結軸５８の支軸部６３を第２アーム１２の第２連結部３４の連結穴３７に挿嵌し、その軸端に抜止体５９を差込み係合して、第２アーム１２を第２連結軸５８を介して第１アーム１１に連結する。最後に、レンズホルダー４に設けた第３連結軸７７を第３連結部３５の連結穴４１に挿嵌し、その軸端に抜止体７８を差込み係合して、ルーペ本体１を第２アーム１２に連結する。上記の組立手順は、あくまでも手順の１例であって、ルーペ本体１とスタンド２は、どこからでも任意の手順で組むことができる。
【００５０】
以上のように、スタンド台１０と、第１アーム１１と、第２アーム１２と、ルーペ本体１を組む際には、各部材を各連結軸４５・５８・７７で連結したのち、各連結軸４５・５８・７７の軸端に各抜止体４６・５９・６０・７８を圧嵌係合するだけでよく、一連の組立作業をより少ない手間で迅速に行なえる。また、各連結軸４５・５８・７７の軸端に係合した各抜止体４６・５９・６０・７８は、脚片５３・７３・８６自体の弾性で、各係合溝４９・６６・６７・８１との係合状態を維持し続けるので、組立完了後に各構成部品の一部が脱落することはない。また、簡単には分解することはできない。
【００５１】
次に、スタンド付きルーペの使用形態をいくつか例示する。
（使用形態１）この使用形態は、スタンド付きルーペの載置面Ｓが磁性金属材である場合を示しており、図１に示すように、スタンド台１０の磁石１３を載置面Ｓに吸着させ、第１アーム１１と第２アーム１２とを、スタンド台１０より後方においてく字状に屈曲させる。さらに、ルーペ本体１を第３連結軸７７の回りに回動して、レンズ３のレンズ面を載置面Ｓとほぼ平行な姿勢にする。この状態では、磁石１３が載置面Ｓに吸着して、ルーペ本体１およびスタンド２を支持するので、ルーペ本体１やスタンド２の姿勢とは無関係に、ルーペ本体１を常に安定した状態で支持できる。載置面Ｓが傾斜している場合であっても、ルーペ本体１およびスタンド２を安定した状態で支持できる。また、各連結軸４５・５８・７７にＯリング４７・６１・７９を設けて、その周方向の摩擦抵抗で、スタンド台１０、第１アーム１１、第２アーム１２、およびルーペ本体１の各部材を任意の変位位置において位置保持するので、長期使用に伴って各連結軸４５・５８・７７、あるいは各連結穴２４・３７・４１が磨耗した場合であっても、ルーペ本体１およびスタンド２の姿勢を確実に保持し続けることができる。
【００５２】
図１に示す使用形態においては、レンズ３の真下に視認対象を位置させることにより、視認対象の拡大された虚像をレンズ越しに見ながらハンドフリー状態で作業を行うことができる。図１に示す使用形態を利用すると、図１５に示すように、鋼材（磁性金属材）で形成されたストリッパー（工具）９６の片方のあご部９７に磁石１３を吸着させた状態で、被覆電線の被覆を除去することができる。このとき、片方のあご部９７に設けた切刃９８や、被覆電線の状態を拡大された虚像として視認することができるので、被覆電線の被覆除去作業を、的確に行うことができる。また、第１関節構造Ｈ１および第２関節構造Ｈ２は、それぞれ３６０度相対回転が可能であるので、視認対象の近傍に磁石１３を吸着させた場合であっても、レンズ３を視認対称と無理なく正対させることができ、従ってスタンド付きルーペの使い勝手を向上できる。
【００５３】
（使用形態２）図１３は、スタンド台１０と第１アーム１１を載置面Ｓ上に載置し、第２アーム１２を起立させ、ルーペ本体１を載置面Ｓとほぼ平行にした使用形態を示している。この使用形態では、スタンド台１０と第１アーム１１とが載置面Ｓで同時に支持されるので、載置面Ｓが磁性金属材である場合はもちろん、そうでない場合にも、第２アーム１２とルーペ本体１を起立姿勢のまま安定した状態で支持できる。この使用形態においても、レンズ３の真下に視認対象を位置させることにより、視認対象の拡大された虚像をレンズ越しに見ながらハンドフリー状態で作業を行うことができる。
【００５４】
（使用形態３）図１４は、スタンド付きルーペを手持ち状態で使用する場合を示している。その場合には、第１アーム１１と第２アーム１２を平行に折りたたんで、第１アーム１１の右側方にスタンド台１０を折りたたみ収納し、ルーペ本体１を両アーム１１・１２の前方に位置させる。この状態の第１アーム１１と第２アーム１２を片手で握ることにより、レンズ３を視認対象にかざして、拡大された虚像を見ることができる。図１４の使用形態において、スタンド台１０と、第１アーム１１および第２アーム１２を載置面Ｓに載置し、ルーペ本体１を載置面Ｓから離れる向きへ斜めに傾斜させた状態で使用することができる。
【００５５】
（使用形態４）図３におけるスタンド付きルーペは、スタンド台１０を位置基準にして、第１アーム１１、第２アーム１２、ルーペ本体１のそれぞれを、スタンド台１０から遠ざかる向きへ直線状に伸長させた状態である。この状態のスタンド台１０を、垂直あるいは傾斜する磁性金属材に吸着させることにより、ルーペ本体１のレンズ３を視認対象に正対させて、拡大された虚像を見ることができる。以上のように、スタンド付きルーペは、第１関節構造Ｈ１および第２関節構造Ｈ２が、それぞれ３６０度相対回転可能で関節の自由度が高いので、スタンド２およびルーペ本体１の姿勢を使用形態１〜４以外の形態にも多様に変更することができる。因みに、従来のスタンド付きルーペは、関節の自由度が低いので実現可能な使用形態に限りがある。
【００５６】
図４および図５は、スタンド付きルーペの全体を折りたたみ収納した状態を示している。ルーペ全体を折りたたみ収納する場合には、図１４で説明したように、第１アーム１１と第２アーム１２を平行に折りたたんだのち、スタンド台１０を第１連結軸４５の周りに回転操作して第１アーム１１の右側方に折りたたみ収納する。さらに、ルーペ本体１を第３連結軸７７の周りに回転操作して、前記両アーム１１・１２およびスタンド台１０の上面（または下面）に折りたたみ収納する。図５に示すように、この状態のルーペ本体１は、第１アーム１１と第２アーム１２が占める長手方向の長さ範囲約７７ｍｍ内に収納されている。さらに、レンズ３の中心はルーペ中心軸線Ｐの近傍に位置しており、折りたたみ状態の最大左右幅は約５０ｍｍである。従って、ルーペ全体の折りたたみ姿勢をコンパクト化でき、作業衣のポケットなどに収納して携行する場合にスタンド付きルーペが嵩張るのを解消できる。ルーペ中心軸線Ｐとは、第１アーム１１と第２アーム１２を平行に折りたたんだ状態において、両アーム１１・１２の隣接部中央を通る中心軸線である。
【００５７】
図１６ないし図１８は、スタンド付きルーペの別の実施例を示す。この実施例におけるスタンド付きルーペと、先の実施例で説明したスタンド付きルーペとの主な相違点は以下のとおりである。図１６の平面図に示すように、スタンド台１０を位置基準とするとき、その右側に第１アーム１１と、第２アーム１２と、ルーペ本体１を記載順に配置して、各部材を第１関節構造Ｈ１と第２関節構造Ｈ２と第３関節構造Ｈ３で連結している。スタンド台１０の上下厚みは、先の実施例で説明したスタンド台１０の上下厚みより大きく設定してあり、磁石ホルダー１４の上表面にレンズホルダー４を受止める受座１０１が凹み形成してある。
【００５８】
図１６の左側面図に示すように、第１アーム１１と第２アーム１２とルーペ本体１を直線状に伸長させた状態において、第１アーム１１は、そのアーム部２０の中心軸が第１連結軸４５と第２連結軸５８の中心どうしを結ぶ線よりも、載置面Ｓから遠ざかる側へ偏寄する状態で形成されて、全体がかすがい状に形成してある。同様に、第２アーム１２は、そのアーム部３３の中心軸が第２連結軸５８と第３連結軸７７の中心どうしを結ぶ線よりも、載置面Ｓから近付く側へ偏寄するように形成されて、全体がかすがい状に形成してある。他の構造は、先に説明したスタンド付きルーペと同じであるので、同じ部材に同じ符号を付してその説明を省略する。
【００５９】
上記の構造の違いから、図１７に示すように、ルーペ全体を折りたたみ収納した状態におけるルーペ本体１は、平行に折りたたまれた第１、第２の両アーム１１・１２の凹み部分１０２に収容されて、両アーム１１・１２の上下厚みの範囲内に収まっている。また、レンズホルダー４の一部が、磁石ホルダー１４に設けた受座１０１で支持されている。
【００６０】
図１９は、図１６で説明した伸長状態のスタンド付きルーペの外観６面図である。図２０は、図１７および図１８で説明した折りたたみ収納状態のスタンド付きルーペの外観６面図である。
【００６１】
図２１は、ルーペ本体１に換えてクリップ１１０をスタンド２で支持した実施例を示す。そこでは一対の挟持アーム１１１・１１２と、両アーム１１１・１１２を揺動可能に連結するクリップ軸１１３と、クリップ軸１１３の周りに配置したキックばね１１４などでクリップを構成している。一方の挟持アーム１１１の操作端にはボス１１５が設けてあり、このボス１１５を第３連結軸７７と一体に設けたブラケット１１６に第４連結軸１１７で相対回転可能に連結したものである。第１連結軸４５と第２連結軸５８の中心間距離は、第２連結軸５８と第３連結軸７７の中心間距離より小さく設定してある。そのため、係合軸部５５を中心間距離が小さい側の第１アーム１１に設け、第２アーム１２に係合軸部５５に対応する係合穴１１８を設けている。使用時には、一対の挟持アーム１１１・１１２の挟持爪の間に例えば小さな部品を挟み固定し、スタンド付きルーペで挟持した部品を視認しながら、必用な処理や加工を行うことができる。なお、上記以外のスタンド２の構造は、既に説明したスタンド同じであるので、同じ部材に同じ符号を付してその説明を省略する。
【００６２】
上記の実施例では位置保持体４７・６１・７９をＯリングで構成して、第１、第２、第３の各連結軸４５・５８・７７の周囲方向に摩擦抵抗を付与するようにしたが、その必要はない。例えば、台連結アーム１５と第１連結部２１の対向面、隣接する第２連結部２２・３４の対向面、およびレンズ連結アーム５と第３連結部３５の対向面に、各連結軸４５・５８・７７の中心軸方向に弾性変形する位置保持体４７・６１・７９を配置して、各位置保持体４７・６１・７９と、これに密着する部材との間に摩擦抵抗を生じさせてもよい。その場合の位置保持体４７・６１・７９は、ゴム、合成ゴム、フェルトなどの少なくとも１種で形成することができ、あるいは金属性あるいはプラスチック製の皿ばねや圧縮ばねなどを弾性変形要素にして形成することができる。Ｏリング４７・６１・７９は、各連結軸４５・５８・７７に対して複数本装着してあってもよい。
【００６３】
レンズホルダー４は、無端環状であることが好ましいが、少なくともレンズ３の周縁の半分以上を保持できる枠体であればよい。要は、レンズ３が落下衝撃などの外力を受けてレンズホルダー４から簡単に脱落しない構造である限り、レンズホルダー４の外形は自由に設定することができる。本発明において、無端環状とは必ずしも円形を意味するものではなく、多角形や楕円形などを含む概念である。
【００６４】
第１連結軸４５と第２連結軸５８の中心間距離と、第２連結軸５８と第３連結軸７７の中心間距離とは同じである必要はなく、その場合には、係合軸部５５を中心間距離が小さい側の第１アーム１１（または第２アーム１２）に設け、他方のアームに係合軸部５５に対応する係合穴を設けておくとよい。第２連結軸５８は第１アーム１１、または第２アーム１２と一体に形成することができる。抜止体４６・５９・６０・７８は、各連結軸４５・５８・７７の軸端にねじ込まれるビスと平座金とで構成することができる。係合軸部５５は、第３連結軸７７用の抜止体７８の側に一体に形成してあってもよい。第１関節構造Ｈ１と第２関節構造Ｈ２と第３関節構造Ｈ３は、それぞれボールジョイントで構成することができる。その場合にはスタンド台１０と第１アーム１１、第１アーム１１と第２アーム１２、あるいは第２アーム１２とルーペ本体１とを、ボールジョイントを介して相対回転操作してスタンド付きクリップの姿勢を、先のスタンド付きルーペと同様に変更することができる。
【００６５】
上記の実施例に係るスタンド付きルーペは、工場などの作業現場で使用されることを想定しているが、本発明に係るスタンド付きルーペは、実験室、試験場、学校、などの様々な使用状況において広く使用することができ、その用途に応じてレンズ３のサイズや倍率などを適宜選択することができる。レンズ３はフレネルレンズ、あるいは組合わせレンズであってもよく、ガラス製のレンズであってもよい。
【符号の説明】
【００６６】
１  ルーペ本体
２  スタンド
３  レンズ
４  レンズホルダー
１０  スタンド台
１１  第１アーム
１２  第２アーム
１３  磁石
２１  第１連結部
２２  第１アームの第２連結部
３４  第２アームの第２連結部
３５  第３連結部
４５  第１連結軸
５８  第２連結軸
７７  第３連結軸
Ｈ１  第１関節構造
Ｈ２  第２関節構造
Ｈ３  第３関節構造
【図１】
2014066778.tif 000003
【図２】
2014066778.tif 000004
【図３】
2014066778.tif 000005
【図４】
2014066778.tif 000006
【図５】
2014066778.tif 000007
【図６】
2014066778.tif 000008
【図７】
2014066778.tif 000009
【図８】
2014066778.tif 000010
【図９】
2014066778.tif 000011
【図１０】
2014066778.tif 000012
【図１１】
2014066778.tif 000013
【図１２】
2014066778.tif 000014
【図１３】
2014066778.tif 000015
【図１４】
2014066778.tif 000016
【図１５】
2014066778.tif 000017
【図１６】
2014066778.tif 000018
【図１７】
2014066778.tif 000019
【図１８】
2014066778.tif 000020
【図１９】
2014066778.tif 000021
【図２０】
2014066778.tif 000022
【図２１】
2014066778.tif 000023
【手続補正書】
【提出日】平成25年5月30日(2013.5.30)
【手続補正１】
【補正対象書類名】明細書
【補正対象項目名】０００９
【補正方法】変更
【補正の内容】
【０００９】
本発明に係るスタンド付きルーペは、ルーペ本体１と、ルーペ本体１を支持するスタンド２を備えている。図１に示すようにスタンド２は、スタンド台１０と、第１アーム１１と、第２アーム１２と、スタンド台１０と第１アーム１１とを連結する第１関節構造Ｈ１と、第１アーム１１と第２アーム１２とを連結する第２関節構造Ｈ２と、第２アーム１２とルーペ本体１とを連結する第３関節構造Ｈ３とを備えている。第１から第３の各関節構造Ｈ１・Ｈ２・Ｈ３は、連結相手どうしが第１、第２、第３の各連結軸４５・５８・７７を中心にして相対回転できるように構成する。スタンド台１０に、磁性金属材に吸着してルーペ本体１およびスタンド２を支持する磁石１３を固定する。第１から第３の各関節構造Ｈ１・Ｈ２・Ｈ３に、スタンド台１０、第１アーム１１、第２アーム１２、およびルーペ本体１の各部材を任意の変位位置において位置保持する位置保持体４７・６１・７９を設ける。スタンド台１０は、磁石１３と、磁石１３を固定保持する磁石ホルダー１４と、磁石ホルダー１４の周囲一側から連出されるＬ字状の台連結アーム１５とを備えており、台連結アーム１５は第１連結軸４５で第１アーム１１の第１連結部２１に連結してある。ルーペ本体１は、レンズ３と、レンズ３を支持するレンズホルダー４と、レンズホルダー４の周囲一側から連出されるＬ字状のレンズ連結アーム５とを備えており、レンズ連結アーム５は第３連結軸７７で第２アーム１２の第３連結部３５に連結してある。第１アーム１１と第２アーム１２を平行に折りたたんだ状態において、スタンド台１０を第１連結軸４５の周りに回転操作することにより、図５に示すように、スタンド台１０を第１アーム１１の外側方に折りたたみ収納でき、かつ、ルーペ本体１を第３連結軸７７の周りに回転操作することにより、ルーペ本体１を前記両アーム１１・１２およびスタンド台１０の上下いずれか一側に折りたたみ収納できる。ルーペ本体１を前記両アーム１１・１２およびスタンド台１０の上下いずれか一側へ折りたたみ収納した状態において、両アーム１１・１２が占める長手方向の長さ範囲内にルーペ本体１が収納されるようにする。さらに、レンズ３の中心をルーペ中心軸線Ｐの近傍に位置させる。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
ルーペ本体（１）と、ルーペ本体（１）を支持するスタンド（２）を備えており、
スタンド（２）は、スタンド台（１０）と、第１アーム（１１）と、第２アーム（１２）と、スタンド台（１０）と第１アーム（１１）を連結する第１関節構造（Ｈ１）と、第１アーム（１１）と第２アーム（１２）を連結する第２関節構造（Ｈ２）と、第２アーム（１２）とルーペ本体（１）を連結する第３関節構造（Ｈ３）とを備えており、
第１から第３の各関節構造（Ｈ１・Ｈ２・Ｈ３）は、連結相手どうしが第１、第２、第３の各連結軸（４５・５８・７７）を中心にして相対回転できるように構成されており、
スタンド台（１０）に、磁性金属材に吸着してルーペ本体（１）およびスタンド（２）を支持する磁石（１３）が固定されており、
第１から第３の各関節構造（Ｈ１・Ｈ２・Ｈ３）に、スタンド台（１０）、第１アーム（１１）、第２アーム（１２）、およびルーペ本体（１）の各部材を任意の変位位置において位置保持する位置保持体（４７・６１・７９）が設けられており、
スタンド台（１０）が、磁石（１３）と、磁石（１３）を固定保持する磁石ホルダー（１４）と、磁石ホルダー（１４）の周囲一側から連出されるＬ字状の台連結アーム（１５）とを備えていて、台連結アーム（１５）が第１連結軸（４５）で第１アーム（１１）の第１連結部（２１）に連結されており、
ルーペ本体（１）が、レンズ（３）と、レンズ（３）を支持するレンズホルダー（４）と、レンズホルダー（４）の周囲一側から連出されるＬ字状のレンズ連結アーム（５）とを備えていて、レンズ連結アーム（５）が第３連結軸（７７）で第２アーム（１２）の第３連結部（３５）に連結されており、
第１アーム（１１）と第２アーム（１２）を平行に折りたたんだ状態において、スタンド台（１０）を第１連結軸（４５）の周りに回転操作して第１アーム（１１）の外側方に折りたたみ収納でき、かつ、ルーペ本体（１）を第３連結軸（７７）の周りに回転操作して、前記両アーム（１１・１２）およびスタンド台（１０）の上下いずれか一側に折りたたみ収納でき、
ルーペ本体（１）を前記両アーム（１１・１２）およびスタンド台（１０）の上下いずれか一側へ折りたたみ収納した状態において、
前記両アーム（１１・１２）が占める長手方向の長さ範囲内にルーペ本体（１）が収納され、レンズ（３）の中心がルーペ中心軸線（Ｐ）の近傍に位置しているスタンド付きルーペ。
【請求項２】
位置保持体が、第１、第２、第３の各連結軸（４５・５８・７７）の周囲に装着したＯリング（４７・６１・７９）で構成されており、
スタンド台（１０）、第１アーム（１１）、第２アーム（１２）、およびルーペ本体（１）の各部材が、Ｏリング（４７・６１・７９）の周方向の摩擦抵抗で任意の変位位置において位置保持されている請求項１に記載のスタンド付きルーペ。
【請求項３】
ルーペ本体（１）が、レンズ（３）と、レンズ（３）を支持するレンズホルダー（４）とを備えており、
レンズホルダー（４）の内縁に沿って、レンズ（３）の周縁表面を受止める部分円弧状の表リブ（９１）と、レンズ（３）の周縁裏面を受止める部分円弧状の裏リブ（９２）とが交互に設けられており、
レンズホルダー（４）の周囲には、レンズホルダー（４）の内縁に達するレンズ装着口（９３）が形成されており、
レンズ装着口（９３）から差込んだレンズ（３）の周縁を表リブ（９１）と裏リブ（９２）との間にはめ込んで、レンズ（３）が１個のレンズホルダー（４）で支持されている請求項１または２に記載のスタンド付きルーペ。
【請求項４】
第１アーム（１１）の一端および他端に、第１連結部（２１）と第２連結部（２２）とが設けられており、
第２アーム（１２）の一端および他端に、第２連結部（３４）と第３連結部（３５）とが設けられており、
第１関節構造（Ｈ１）が、スタンド台（１０）と、スタンド台（１０）の一側に配置した第１連結部（２１）と、これら両者（１０・２１）を連結する第１連結軸（４５）とを備えており、
第２関節構造（Ｈ２）が、第１アーム（１１）の第２連結部（２２）と、前記第２連結部（２２）の一側に配置した第２アーム（１２）の第２連結部（３４）と、これら両者（２２・３４）を連結する第２連結軸（５８）とを備えており、
第３関節構造（Ｈ３）が、第２アーム（１２）の第３連結部（３５）と、前記第３連結部（３５）の一側に配置されたルーペ本体（１）と、これら両者（１・３５）を連結する第３連結軸（７７）とを備えており、
スタンド台（１０）の一側に、第１アーム（１１）と第２アーム（１２）とルーペ本体（１）とが記載順に隣接配置されて、スタンド台（１０）と第１アーム（１１）、および第１アーム（１１）と第２アーム（１２）とが、３６０度相対回転自在に連結してある請求項１から３のいずれかひとつに記載のスタンド付きルーペ。
【請求項５】
レンズホルダー（４）の周囲に、ルーペ本体（１）を変位操作するつまみ部（６）が張出し形成してある請求項１から４のいずれかひとつに記載のスタンド付きルーペ。
【請求項６】
第１、第２、第３の各連結軸（４５・５８・７７）のそれぞれが、各連結軸（４５・５８・７７）の軸端に固定した抜止体（４６・５９・６０・７８）で、第１、第２、第３の各連結部（２１・２２・３４・３５）に対して抜外れ不能に固定されており、
抜止体（４６・５９・６０・７８）は、弾性変形可能な脚片（５３・７３・８６）と、脚片（５３・７３・８６）の差込限界を規定する操作頭部（５２・７２・８５）とを一体に備えており、
第１、第２、第３の各連結軸（４５・５８・７７）の軸端に設けた係合溝（４９・６６・６７・８１）に前記脚片（５３・７３・８６）を圧嵌装着して、各連結軸（４５・５８・７７）が抜止めしてある請求項１から５のいずれかひとつに記載のスタンド付きルーペ。
【請求項７】
第１連結軸（４５）と第２連結軸（５８）の中心間距離と、第２連結軸（５８）と第３連結軸（７７）の中心間距離とが同じに設定されており、
第１連結部（２１）と第３連結部（３５）のそれぞれに、抜止体（４６・７８）の操作頭部（５２・８５）を受入れる同じ直径の挿嵌穴（２６・４３）が形成されており、
前記一方の抜止体（４６）の操作頭部（５２）の外端が挿嵌穴（２６）の外方へ突出されて係合軸部（５５）を構成しており、
第１アーム（１１）と第２アーム（１２）を平行に折りたたんだ状態において、前記係合軸部（５５）が隣接する抜止体（７８）の挿嵌穴（３８）と係合して、両アーム（１１・１２）を折りたたみ姿勢に保持している請求項６に記載のスタンド付きルーペ。
【請求項８】
第１アーム（１１）と第２アーム（１２）のいずれか一方の第２連結部（２２）にストラップ穴（３０）が形成されており、
前記両アーム（１１・１２）を平行に折りたたんだ状態において、前記ストラップ穴（３０）の両端開口が、自由空間に臨む第２連結部（２２）の周面に開口してある請求項１から７のいずれかひとつに記載のスタンド付きルーペ。